【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
ワイヤレスデバイスに含まれる装置であって、前記装置は下記を備える、
前記ワイヤレスデバイスに複数のキャリア上で送られた複数の送信を備える第１の無線周波数（ＲＦ）信号をダウンコンバートするように構成された第１のダウンコンバータ、前記第１のダウンコンバータは、少なくとも１つの基準が満たされないとき、ダウンコンバージョンを実行するために選択される、と、
前記複数のキャリア上で送られた前記複数の送信を備える第２のＲＦ信号をダウンコンバートするように構成された第２のダウンコンバータ、前記第１および第２のダウンコンバータは、前記少なくとも１つの基準が満たされるとき、異なる混合周波数に基づいてダウンコンバージョンを実行するために選択される。
【請求項２】
請求項１に記載の装置は下記をさらに備える、
アンテナからの入力ＲＦ信号を増幅し、増幅されたＲＦ信号を与えるように構成された低雑音増幅器（ＬＮＡ）、前記第１および第２のＲＦ信号は、前記増幅されたＲＦ信号に基づいて生成される。
【請求項３】
請求項１に記載の装置は下記をさらに備える、
第１のアンテナからの第１の入力ＲＦ信号を増幅し、前記第１のＲＦ信号を与えるように構成された第１の低雑音増幅器（ＬＮＡ）と、
第２のアンテナからの第２の入力ＲＦ信号を増幅し、前記第２のＲＦ信号を与えるように構成された第２のＬＮＡ。
【請求項４】
請求項１に記載の装置は下記をさらに備える、
第１の可変利得に基づいて前記第１のＲＦ信号を生成するように構成された第１の増幅器と、
第２の可変利得に基づいて前記第２のＲＦ信号を生成するように構成された第２の増幅器。
【請求項５】
請求項４に記載の装置であって、
前記第１の可変利得が、前記複数の送信のうちの少なくとも１つの送信の受信電力レベルに基づいて決定され、前記第２の可変利得が、前記複数の送信のうちの少なくとも１つの他の送信の受信電力レベルに基づいて決定される、
前記装置。
【請求項６】
請求項１に記載の装置であって、
前記複数のキャリア上での前記複数の送信が、前記ワイヤレスデバイスに第１の基地局によって第１のキャリア上で送られた第１の送信と、前記ワイヤレスデバイスに第２の基地局によって第２のキャリア上で送られた第２の送信とを備え、前記第１の基地局が前記第２の基地局とコロケートされない、
前記装置。
【請求項７】
請求項１に記載の装置であって、
前記少なくとも１つの基準は、前記第１および第２の受信ＲＦ信号のうちの１つの受信電力がしきい値よりも大きい場合に満たされる基準を備える、
前記装置。
【請求項８】
請求項１に記載の装置であって、
前記複数のキャリア上での前記複数の送信が、第１のキャリア上での第１の送信と、第２のキャリア上での第２の送信とを備え、前記少なくとも１つの基準は、前記第１の送信の受信電力と前記第２の送信の受信電力との間の差がしきい値よりも大きい場合に満たされる基準を備える、
前記装置。
【請求項９】
請求項１に記載の装置であって、
前記少なくとも１つの基準は、前記複数のキャリアを備える帯域のための広帯域電力が前記複数のキャリアのうちの１つまたは複数のキャリアのための狭帯域電力をしきい値だけ超える場合に満たされる基準を備える、
前記装置。
【請求項１０】
請求項１に記載の装置であって、
前記第１のダウンコンバータのための第１の混合周波数および前記第２のダウンコンバータのための第２の混合周波数が、１つまたは複数の干渉送信による残留側波帯（ＲＳＢ）が前記複数のキャリアにかかることを回避するために選択される、
前記装置。
【請求項１１】
請求項１に記載の装置であって、
前記複数のキャリア上での前記複数の送信が、第１の周波数における第１のキャリア上での第１の送信と、第２の周波数における第２のキャリア上での第２の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
【請求項１２】
請求項１に記載の装置であって、
前記複数のキャリア上での前記複数の送信が、第１の周波数を中心とする２つの隣接するキャリア上での２つの送信と、第２の周波数における第３のキャリア上での第３の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
【請求項１３】
方法であって、前記方法は下記を備える、
少なくとも１つの基準が満たされないとき、ワイヤレスデバイスに複数のキャリア上で送られた複数の送信のためのダウンコンバージョンを実行するために第１のダウンコンバータを選択することと、
前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択すること。
【請求項１４】
請求項１３に記載の方法であって、
前記複数のキャリア上での前記複数の送信が、第１の周波数における第１のキャリア上での第１の送信と、第２の周波数における第２のキャリア上での第２の送信とを備える、
前記方法は、さらに下記を備える、
前記第１および第２のダウンコンバータが選択されるとき、前記第１の周波数における第１の局部発振器（ＬＯ）信号に基づいて前記第１のＲＦ信号をダウンコンバートするように前記第１のダウンコンバータを制御し、前記第２の周波数における第２のＬＯ信号に基づいて前記第２のＲＦ信号をダウンコンバートするように前記第２のダウンコンバータを制御すること。
【請求項１５】
コンピュータプログラム製品であって、
前記コンピュータプログラム製品は、非一時的コンピュータ可読媒体を備え、前記非一時的コンピュータ可読媒体は、下記を備える、
少なくとも１つのコンピュータに、少なくとも１つの基準が満たされないとき、ワイヤレスデバイスに複数のキャリア上で送られた複数の送信のためのダウンコンバージョンを実行するために第１のダウンコンバータを選択することを行わせるためのコードと、
前記少なくとも１つのコンピュータに、前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択することを行わせるためのコード。
【手続補正２】
【補正対象書類名】明細書
【補正対象項目名】００９１
【補正方法】変更
【補正の内容】
【００９１】
[00101]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］  装置であって、前記装置は下記を備える、
ワイヤレスデバイスに複数のキャリア上で送られた複数の送信を備える第１の無線周波数（ＲＦ）信号をダウンコンバートするように構成された第１のダウンコンバータ、前記第１のダウンコンバータは、少なくとも１つの基準が満たされないとき、ダウンコンバージョンを実行するために選択される、と、
前記複数のキャリア上で送られた前記複数の送信を備える第２のＲＦ信号をダウンコンバートするように構成された第２のダウンコンバータ、前記第１および第２のダウンコンバータは、前記少なくとも１つの基準が満たされるとき、異なる混合周波数に基づいてダウンコンバージョンを実行するために選択される。
［Ｃ２］  Ｃ１に記載の装置は下記をさらに備える、
アンテナからの入力ＲＦ信号を増幅し、増幅されたＲＦ信号を与えるように構成された低雑音増幅器（ＬＮＡ）、前記第１および第２のＲＦ信号は、前記増幅されたＲＦ信号に基づいて生成される。
［Ｃ３］  Ｃ１に記載の装置は下記をさらに備える、
第１のアンテナからの第１の入力ＲＦ信号を増幅し、前記第１のＲＦ信号を与えるように構成された第１の低雑音増幅器（ＬＮＡ）と、
第２のアンテナからの第２の入力ＲＦ信号を増幅し、前記第２のＲＦ信号を与えるように構成された第２のＬＮＡ。
［Ｃ４］  Ｃ１に記載の装置は下記をさらに備える、
第１の可変利得に基づいて前記第１のＲＦ信号を生成するように構成された第１の増幅器と、
第２の可変利得に基づいて前記第２のＲＦ信号を生成するように構成された第２の増幅器。
［Ｃ５］  Ｃ４に記載の装置であって、
前記第１の可変利得が、前記複数の送信のうちの少なくとも１つの送信の受信電力レベルに基づいて決定され、前記第２の可変利得が、前記複数の送信のうちの少なくとも１つの他の送信の受信電力レベルに基づいて決定される、
前記装置。
［Ｃ６］  Ｃ１に記載の装置であって、
前記複数のキャリア上での前記複数の送信が、前記ワイヤレスデバイスに第１の基地局によって第１のキャリア上で送られた第１の送信と、前記ワイヤレスデバイスに第２の基地局によって第２のキャリア上で送られた第２の送信とを備え、前記第１の基地局が前記第２の基地局とコロケートされない、
前記装置。
［Ｃ７］  Ｃ１に記載の装置であって、
前記少なくとも１つの基準は、受信ＲＦ信号の受信電力がしきい値よりも大きい場合に満たされる基準を備える、
前記装置。
［Ｃ８］  Ｃ１に記載の装置であって、
前記複数のキャリア上での前記複数の送信が、第１のキャリア上での第１の送信と、第２のキャリア上での第２の送信とを備え、前記少なくとも１つの基準は、前記第１の送信の受信電力と前記第２の送信の受信電力との間の差がしきい値よりも大きい場合に満たされる基準を備える、
前記装置。
［Ｃ９］  Ｃ１に記載の装置であって、
前記少なくとも１つの基準は、第１のキャリア上での第１の送信の受信電力が第２のキャリア上での第２の送信の受信電力をしきい値だけ超える場合に満たされる基準を備え、前記第２の送信が、前記ワイヤレスデバイスに送られた前記複数の送信のうちの１つである、
前記装置。
［Ｃ１０］  Ｃ１に記載の装置であって、
前記少なくとも１つの基準は、前記複数のキャリアを備える帯域のための広帯域電力が１つまたは複数のキャリアのための狭帯域電力をしきい値だけ超える場合に満たされる基準を備える、
前記装置。
［Ｃ１１］  Ｃ１に記載の装置であって、
前記第１のダウンコンバータのための第１の混合周波数および前記第２のダウンコンバータのための第２の混合周波数が、１つまたは複数の干渉送信による残留側波帯（ＲＳＢ）が前記複数のキャリアにかかることを回避するために選択される、
前記装置。
［Ｃ１２］  Ｃ１に記載の装置であって、
前記複数のキャリア上での前記複数の送信が、第１の周波数における第１のキャリア上での第１の送信と、第２の周波数における第２のキャリア上での第２の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
［Ｃ１３］  Ｃ１に記載の装置であって、
前記複数のキャリア上での前記複数の送信が、第１の周波数を中心とする２つの隣接するキャリア上での２つの送信と、第２の周波数における第３のキャリア上での第３の送信とを備え、前記第１および第２のダウンコンバータが選択されるとき、前記第１のダウンコンバータが、前記第１の周波数における第１の局部発振器（ＬＯ）信号に基づいて前記第１のＲＦ信号をダウンコンバートし、前記第２のダウンコンバータが、前記第２の周波数における第２のＬＯ信号に基づいて前記第２のＲＦ信号をダウンコンバートする、
前記装置。
［Ｃ１４］  方法であって、前記方法は下記を備える、
少なくとも１つの基準が満たされないとき、ワイヤレスデバイスに複数のキャリア上で送られた複数の送信のためのダウンコンバージョンを実行するために第１のダウンコンバータを選択することと、
前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択すること。
［Ｃ１５］  Ｃ１４に記載の方法であって、
前記少なくとも１つの基準は、受信無線周波数（ＲＦ）信号の受信電力が第１のしきい値よりも大きい場合に満たされる第１の基準、または前記複数のキャリアのうちの２つ上での前記複数の送信のうちの２つの受信電力間の差が第２のしきい値よりも大きい場合に満たされる第２の基準、または第１のキャリア上での干渉送信の受信電力が第２のキャリア上での所望の送信の受信電力を第３のしきい値だけ超える場合に満たされる第３の基準、またはそれらの組合せを備える、
前記方法。
［Ｃ１６］    Ｃ１４に記載の方法であって、
前記複数のキャリア上での前記複数の送信が、第１の周波数における第１のキャリア上での第１の送信と、第２の周波数における第２のキャリア上での第２の送信とを備える、
前記方法は、さらに下記を備える、
前記第１および第２のダウンコンバータが選択されるとき、前記第１の周波数における第１の局部発振器（ＬＯ）信号に基づいて前記第１のＲＦ信号をダウンコンバートするように前記第１のダウンコンバータを制御し、前記第２の周波数における第２のＬＯ信号に基づいて前記第２のＲＦ信号をダウンコンバートするように前記第２のダウンコンバータを制御すること。
［Ｃ１７］  装置であって、前記装置は下記を備える、
少なくとも１つの基準が満たされないとき、ワイヤレスデバイスに複数のキャリア上で送られた複数の送信のためのダウンコンバージョンを実行するために第１のダウンコンバータを選択するための手段と、
前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択するための手段。
［Ｃ１８］  Ｃ１７に記載の装置であって、
前記少なくとも１つの基準は、受信無線周波数（ＲＦ）信号の受信電力が第１のしきい値よりも大きい場合に満たされる第１の基準、または前記複数のキャリアのうちの２つ上での前記複数の送信のうちの２つの受信電力間の差が第２のしきい値よりも大きい場合に満たされる第２の基準、または第１のキャリア上での干渉送信の受信電力が第２のキャリア上での所望の送信の受信電力を第３のしきい値だけ超える場合に満たされる第３の基準、またはそれらの組合せを備える、
前記装置。
［Ｃ１９］  Ｃ１７に記載の装置であって、
前記複数のキャリア上での前記複数の送信が、第１の周波数における第１のキャリア上での第１の送信と、第２の周波数における第２のキャリア上での第２の送信とを備える、前記装置は、さらに下記を備える、
前記第１および第２のダウンコンバータが選択されるとき、前記第１の周波数における第１の局部発振器（ＬＯ）信号に基づいて前記第１のＲＦ信号をダウンコンバートするように前記第１のダウンコンバータを制御し、前記第２の周波数における第２のＬＯ信号に基づいて前記第２のＲＦ信号をダウンコンバートするように前記第２のダウンコンバータを制御するための手段。
［Ｃ２０］  コンピュータプログラム製品であって、
前記コンピュータプログラム製品は、非一時的コンピュータ可読媒体を備え、前記非一時的コンピュータ可読媒体は、下記を備える、
少なくとも１つのコンピュータに、少なくとも１つの基準が満たされないとき、ワイヤレスデバイスに複数のキャリア上で送られた複数の送信のためのダウンコンバージョンを実行するために第１のダウンコンバータを選択することを行わせるためのコードと、
前記少なくとも１つのコンピュータに、前記少なくとも１つの基準が満たされるとき、異なる混合周波数に基づいて、前記複数のキャリア上で送られた前記複数の送信のためのダウンコンバージョンを実行するために前記第１のダウンコンバータと第２のダウンコンバータとを選択することを行わせるためのコード。